(57)【要約】【課題】  本発明は、屋根に積もった雪を降ろすことなく積雪する前に融雪する、無落雪式の屋根構造に係るものである。【解決手段】  幅方向の側端縁に雄雌連結構造を形成し、雄雌連結構造により上部に立ち上がった雪止部Ｐを形成して凹状の樋状部１１を設けた金属製屋根材Ｂと、樋状部１１に形成した熱媒体保持シートＣとからなる屋根材Ａと、熱媒体散布装置Ｈからなり、屋根材Ａの雪止部Ｐを屋根の棟に対して略平行になるようにして屋根材Ａを下地αに固定し、屋根材Ａの熱媒体保持シートＣに熱媒体散布装置Ｈにより熱媒体Ｈ２を散布するように形成した屋根構造である。【選択図】図２
2006265887.tif 000002
【特許請求の範囲】
【請求項１】
幅方向の側端縁に雄雌連結構造を形成し、該雄雌連結構造により上部に立ち上がった雪止部を形成して凹状の樋状部を設けた金属製屋根材と、該樋状部に形成した熱媒体保持シートとからなる屋根材と、熱媒体散布装置からなり、屋根材の雪止部を屋根の棟に対して略平行になるようにして屋根材を下地に固定し、該屋根材の熱媒体保持シートに熱媒体散布装置により熱媒体を散布するように形成したことを特徴とする屋根構造。
【発明の詳細な説明】
【技術分野】
【０００１】
本発明は、屋根に積もった雪を降ろすことなく積雪する前に融雪する、無落雪式の屋根構造に係るものである。
【背景技術】
【０００２】
従来、この種無落雪式の屋根は、（１）屋根の中央に横樋と縦樋を持つＭ型屋根、（２）屋根面を水平（排水のため１／１００程度の勾配を形成）に形成した屋根、（３）雪止用の立ち上げ部を形成した横葺きの無落雪式屋根、等である。（例えば、特許文献１、２参照）。
【０００３】
【特許文献１】特開２００２−０３８６５８号公報
【特許文献２】特開２００２−１５５６０２号公報
【発明の開示】
【発明が解決しようとする課題】
【０００４】
しかしながら、（１）、（２）は屋根面での融雪が多いと、軒先に巻垂れが生じる、鉄板との接触面は氷盤になっていたりする、先端につららができる、等があり、暖気の時にこれらが落ちる危険性があった。また、（１）〜（３）では屋根に積もった雪の重量によって、建具が開かなくなる等の不都合がないように、建物の設計時に積雪量に応じて梁の大きさを決定する必要があった。
【課題を解決するための手段】
【０００５】
本発明はこのような欠点を解決するために、幅方向の側端縁に雄雌連結構造を形成し、雄雌連結構造により上部に立ち上がった雪止部を形成して凹状の樋状部を設けた金属製屋根材と、樋状部に形成した熱媒体保持シートとからなる屋根材と、熱媒体散布装置からなり、屋根材の雪止部を屋根の棟に対して略平行になるようにして屋根材を下地に固定し、屋根材の熱媒体保持シートに熱媒体散布装置により熱媒体を散布するように形成した屋根構造を提供するものである。
【発明の効果】
【０００６】
本発明に係る屋根材によれば、（１）落雪の危険性が無い。（２）雪降ろしの危険性を排除できる。（３）雪降ろしの重労働を排除できる。（４）既存の屋根材の上に施工できる。（５）施工時に雪止部が足場となるために施工性がよい。（６）少ない散水量でかつ低温の熱媒体で融雪が可能である。（７）新築時でも改修時でも、部分的に施工が可能である。等の特徴、効果がある。
【発明を実施するための最良の形態】
【０００７】
以下に図面を用いて本発明に係る屋根構造について詳細に説明する。図１、図２（ａ）〜（ｃ）、図３、図４（ａ）〜（ｃ）、および図５は、金属製屋根材Ｂと熱媒体保持シートＣよりなる屋根材Ａと、屋根材Ａの施工状態の一例を示す説明図である。また、Ｈは熱媒体散布装置、αは下地、βは固定具である。
【０００８】
下地αは、新築の際は垂木上に野地板を敷設し、野地板上に防水シート（一点鎖線で示す）を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でもよいものである。勿論、既存の屋根をそのまま改修する屋根の際には、これら下地α上に横葺き屋根、新生瓦や瓦棒等の既存屋根（図示せず）が形成された既存屋根構造が下地αとなるものである。
【０００９】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、屋根材Ａの表面材として、屋根材Ａの代わりに窯業系素材、もしくは合成樹脂材（プラスチック）、等で形成してもよいものである。
【００１０】
さらに説明すると、金属製屋根材Ｂは長尺板状であり、その一例を示すと、図２（ａ）に示すように水平面状の化粧面１と、化粧面１の幅方向の両側端縁に形成した雄型連結部２と、雌型連結部３よりなるものである。勿論、図示しないが長尺瓦棒屋根を金属製屋根材Ｂとして使用しても良いものである。
【００１１】
雄型連結部２は、化粧面１の一端縁を上方に突出した立ち上がり面４と、立ち上がり面４の先端を外側方に突出した支持面５と、支持面５のい先端を下方に垂下した係止面６と、立ち上がり面４と支持面５と係止面６とから形成した嵌合溝７とから形成したものである。
【００１２】
雌型連結部３は、化粧面１の他端縁を上方に突出した立ち上がり片８と立ち上がり片８の先端を外側方に突出した係合片９と、化粧面１の先端をさらに外側方に突出した固定片１０とから形成したものである。
【００１３】
立ち上がり面４と立ち上がり片８は、図２（ｂ）に示すように雄型連結部２雌型連結部３を連結してはぜ折りすることにより、雪止部Ｐを形成し、屋根を無落雪式屋根構造に形成するものである。
【００１４】
熱媒体保持シートＣは布製の織物であり、化学繊維としては、再生繊維、半合成繊維、合成繊維、等であり、天然繊維としては綿、麻類、羊毛、絹、等である。また、その織り方は平織、綾織、錦織、朱子織、等の織り方によるものである。具体的な合成繊維としてはナイロン、ビニロン、ポリエステル、アクリル、ポリオレフィン、ポリウレタン、含ハロゲン系、等がある。
【００１５】
熱媒体保持シートＣは、金属製屋根材Ｂの樋状部１１の化粧面１上に接着材を介して添付されたものである。この熱媒体保持シートＣは文字通り、液状の物質をその毛細管現象により繊維内に保持し、その液状の物質が温水等の熱媒体である場合に熱媒体保持シートＣ全面で融雪効果を発揮するシートとなるものである。そのために、従来の散水量の１／１０で融雪が可能であると共に、低温（９℃〜１５℃）の熱媒体Ｈ２で融雪が可能である。勿論、熱媒体保持シートＣと接着材は、その地方に合った耐候性、耐光性、耐熱性、耐寒性、耐薬品性、耐汚染性、のある材質を使用するものである。
【００１６】
屋根材Ａ同士の連結は図４（ａ）〜（ｃ）に示すものであり、図４（ａ）に示すように固定片１０が固定具により固定された下段の屋根材Ａの雌型連結部３の立ち上がり面４に、上段の屋根材Ａの雄型連結部２の嵌合溝７を挿入し、図４（ｂ）に点線矢印で示すようにはぜ折りし、図４（ｃ）に示すように連結固定されるものである。また、屋根材Ａは水切り用（水勾配）に１／５０〜１／１００程度の傾斜を有して施工されるものである。
【００１７】
立ち上がり面４の高さが、雪の落雪を防止する樋状部１１を形成するために、立ち上がり面４の高さが雪止能力を決定する部分である。勿論、通常は熱媒体散布装置Ｈにより積雪する前に融雪するものである。
【００１８】
なお、その地域の降雪量を考慮して立ち上がり面４の高さは決定されるものである。
【００１９】
熱媒体散布装置Ｈは図５に示すように樋状部１１の上端部分に形成するものであり、例えば、金属製パイプよりなるパイプＨ１内に温水等の熱媒体Ｈ２を流し、一定間隔で形成した散布バルブＨ３により、熱媒体Ｈ２を熱媒体保持シートＣ上に均一に散布するものである。なお、熱媒体散布装置Ｈの電源のオンオフ、熱媒体Ｈ２の散布位置、熱媒体Ｈ２の温度、散布バルブＨ３の調整（散布量）、等は家屋内の配電盤（制御盤）により制御でき、降雪センサー、積雪量感知センサー、等のセンサーを利用して熱媒体散布装置Ｈを作動させるものである。勿論、これらの動作は手動でも可能な状態にしておいても良いものである。
【００２０】
パイプＨ１の素材としては、金属製パイプ、樹脂製パイプ、樹脂製ホース、補強材入りホース、等よりなるものである。また、熱媒体Ｈ２としては、温水（ボイラー加熱水）、地下水（温湯・水）、工場等から排水される温水、ソーラーを利用して加温された温水、等を利用するものである。勿論、屋根材Ａから回収した融雪水は再利用するものである。
【００２１】
以上説明したのは本発明に係る屋根構造の一実施例であり、図６（ａ）、（ｂ）〜図８（ａ）〜（ｄ）に示すように形成することもできる。
【００２２】
図６（ａ）、（ｂ）は、軒先とケラバ部分に樋Ｉを形成した屋根構造を示すものである。勿論この場合には、融雪水が樋Ｉに向かって流れるように、樋Ｉを形成したケラバ部分に下り傾斜して屋根材Ａが施工されているものである。
【００２３】
図７（ａ）は軒先とケラバ部分に樋Ｉを形成した屋根構造、図７（ｂ）は軒部分にも樋Ｉを形成した屋根構造を示すものである。勿論、樋Ｉに集めた融雪水は集めて再利用したり、そのままマンホールへ排水しても良いものである。また、冬期以外には、樋Ｉは雨水の排水樋として機能するものである。
【００２４】
図８（ａ）〜（ｄ）は屋根材Ａのその他の実施例を示すものであり、（ｂ）図は（ａ）図の、（ｄ）図は（ｃ）図の施工状態を示す説明図である。特に（ｃ）、（ｄ）図は吊子Ｂ１により固定するようにした屋根材Ａである。
【図面の簡単な説明】
【００２５】
【図１】本発明に係る屋根構造の代表的一例を示す説明図である。
【図２】本発明に係る屋根構造の代表的一例を示す説明図である。
【図３】本発明に係る屋根構造の施工状態を示す斜視図である。
【図４】本発明に係る屋根構造の施工状態を示す説明図である。
【図５】本発明に係る屋根構造の施工状態を示す説明図である。
【図６】本発明に係る屋根構造のその他の実施例を示す説明図である。
【図７】本発明に係る屋根構造のその他の実施例を示す説明図である。
【図８】本発明に係る屋根構造のその他の実施例を示す説明図である。
【符号の説明】
【００２６】
α  下地
β  固定具
Ａ  屋根材
Ｂ  金属製屋根材
Ｂ１  吊子
Ｃ  熱媒体保持シート
Ｈ  熱媒体散布装置
Ｈ１  パイプ
Ｈ２  熱媒体
Ｈ３  散布バルブ
Ｉ  樋
Ｐ  雪止部
１  化粧面
２  雄型連結部
３  雌型連結部
４  立ち上がり面
５  支持面
６  係止面
７  嵌合溝
８  立ち上がり片
９  係合片
１０  固定片
１１  樋状部
【図１】
2006265887.tif 000003
【図２】
2006265887.tif 000004
【図３】
2006265887.tif 000005
【図４】
2006265887.tif 000006
【図５】
2006265887.tif 000007
【図６】
2006265887.tif 000008
【図７】
2006265887.tif 000009
【図８】
2006265887.tif 000010